(57)【特許請求の範囲】
【請求項１】
帯状材を寸断する打ち抜き切断刃であって、雄刃ブロックは前記帯状材の幅以上の刃幅を有する両面切刃の少なくとも一方の切刃の切刃線が非直線形状をなす雄刃と、該雄刃の両面切刃の両端部においてそれぞれ切断動作移動方向平行に突設するとともに前記帯状材が通過する内側間隔が先端側より切刃側に向かって徐々にせばまり切断動作の移動で帯状材をセンタリングするガイド部とを有し、雌刃ブロックは前記雄刃の両面切刃に嵌合する雌刃と、該雌刃の両端より外側で前記雄刃ブロックのガイド部を案内するガイド穴とを有してなり、雄刃ブロックのガイド部と雌刃ブロックのガイド穴とが切断待機中も常時嵌合状態に組み合わされることを特徴とする打ち抜き切断刃。
【請求項２】
前記ガイド部の内側間隔が切刃側の根本部分でほぼ一定に形成された請求項１に記載の打ち抜き切断刃。
【請求項３】
前記雌刃ブロックは対向雌刃と両端ガイド穴とで形成する貫通穴を有するブロック体であって、中心面に対して傾斜した面で２個に分割されており、互いに軸方向にずらせることによって雄刃と雌刃との嵌合隙間の調整を可能とした請求項１又は２に記載の打ち抜き切断刃。
【発明の詳細な説明】
【０００１】
【発明の属する技術分野】
本発明は連続した帯状材を個々に切断するとき、その切断線が非直線状の所定形状に形成されるように打ち抜き切断する切断刃に関するもので、例えばピロー包装される砂糖を納めた連続体からスティックに切断するときに好適な打ち抜き切断刃に係る。
【０００２】
【従来の技術】
帯状材として図６ａに示すピロー包装と呼ばれる包装物の連続体がある。シートを一端からシートの両側縁同士を融着して筒状に形成しながら該筒の途中を幅方向に融着して袋状とし、内容物例えば砂糖，胡椒等の粉体或いはマヨネーズ，ケチャップ等の流状体を包装するため前記幅方向の融着部から所定距離をおいて幅方向に融着封印する。融着封印するとこれに続いて新たに袋状部分が形成されることから内容物の投入、封印が連続的に行われる。融着部分の中間を切断することで包装物を図６ｃのように個別に分離される。従来、融着部分を切断するには、切刃線が直線的或いは細かいジグザグ形状をなしているのが一般的であった。
【０００３】
【発明が解決しようとする課題】
融着部分が直線刃で切断されると切断線の両端は基本的に直角或いは直角に近い角が立つ。またジグザグの山形の切刃で切断されると切断線はとがった山形の連続したものとなる。このため鋭い角，山頂部分でけがをしたり、分離された個々の包装物同士で傷をつけあったりする恐れがある。特に包装材がアルミ箔，樹脂若しくはロー引きの硬化紙等を用いた硬い材料である場合にはけがをする可能性がより高くなる。
また、包装物によっては切断線が帯状材幅方向に直線で切断線両端が直角であると商品の美観を損なう場合がある。
【０００４】
本発明は従来の技術の有するこのような問題点に鑑みなされたもので、その目的とするところは、取り扱い時に切断部でけがをしたり、包装物が傷つく恐れをなくし、また商品に美観を感じさせる切断線を形成する打ち抜き切断刃を提供しようとするものである。
【０００５】
【課題を解決するための手段】
上述の目的を達成するために本願請求項１の発明は、帯状材を寸断する打ち抜き切断刃であって、雄刃ブロックは前記帯状材の幅以上の刃幅を有する両面切刃の少なくとも一方の切刃の切刃線が非直線形状をなす雄刃と、該雄刃の両面切刃の両端部においてそれぞれ切断動作移動方向平行に突設するとともに前記帯状材が通過する内側間隔が先端側より切刃側に向かって徐々にせばまり切断動作の移動で帯状材をセンタリングするガイド部とを有し、雌刃ブロックは前記雄刃の両面切刃に嵌合する雌刃と、該雌刃の両端より外側で前記雄刃ブロックのガイド部を案内するガイド穴とを有してなり、雄刃ブロックのガイド部と雌刃ブロックのガイド穴とが切断待機中も常時嵌合状態に組み合わされるものである。
【０００６】
請求項１の発明によれば、両ガイド部の内側に送られてきた帯状材は、内側間隔が切刃側に狭くなるテーパに形成されているので、雄刃ブロックが雌刃ブロックに侵入するにつれ帯状材は偏位していても徐々に中心に寄せられてセンタリングされるので、切断線の両端が所定の形状に形成されて美観を損なわない。
また少なくとも一方の切刃線を非直線形状となしたので、切断部位の角を曲線，Ｒ面で形成して尖った角をなくすることができて傷つける恐れがなくなる。
【０００７】
請求項２の発明は、前記ガイド部の内側間隔が切刃側の根本部分でほぼ一定に形成されたものである。
請求項２の発明によれば、帯状材はガイド部のテーパで中心に寄せられるが、切刃近くのガイド根本部で完全にセンタリングされ安定して保持されるので切断時の横方向への分力が生じても帯状材の偏位が止められ切断線の対称性が損なわれることがない。
【０００８】
請求項３の発明は、前記雌刃ブロックは対向雌刃と両端ガイド穴とで形成する貫通穴を有するブロック体であって、中心面に対して傾斜した面で２個に分割されており、互いに軸方向にずらせることによって雄刃と雌刃との嵌合隙間の調整を可能としたものである。
【０００９】
請求項３の発明によれば、雄刃と雌刃の嵌合隙間を分割した二枚の雌刃ブロックを互いに軸方向に移動させることによって調整することができるので、帯状材の切断に最適な嵌合隙間として常に明瞭な切断線をうることができる。
【００１０】
【発明の実施の形態】
以下図面にもとづき説明する。
図１は縦型ピロー包装機に用いられる打ち抜き切断刃の組み合わせ状態を示す図、図２は雄刃ブロックを示す図、図３は雌刃ブロックの分割された一方を示す図、図４は同じく他方を示す図、図５は本発明の打ち抜き切断刃で切断されるピロー包装品の図である。
【００１１】
直方体の雄刃ブロック１は例えばピロー包装帯の融着部を打ち抜く幅（ピロー包装帯送り方向の打ち抜き幅）と等しい厚みの板状の刃体１ａの端面（ブロック長手方向のほぼ中央位置）でブロック移動方向に対して直角方向或いは切れ味を増すため僅かに傾斜したほぼ直角方向の図２ｃに示す左右両側面のそれぞれの稜線角に直線切刃の雄刃２Ａａ，２Ｂａが平行に形成され、この直線切刃の両端部には続いてそれぞれ外方に開く約１／４円のＲ切刃の雄刃２Ａｂ，２Ａｂ；２Ｂｂ，２Ｂｂが形成されている。
【００１２】
本実施例では刃体１ａの端面の両側交線に切刃が形成されたＩ形の両面切刃を有する雄刃であるが、雄刃２Ａａ，２Ｂａが直線に限られるものでなく、Ｒ切刃の雄刃２Ａｂ，２Ｂｂを含めて波形切刃、或いは丸山形切刃に形成してもよく、また一方の切刃のみを波形切刃，丸山形切刃に形成してもよい。すなわち切刃は切断線に美観を生じるよう、また切断角にして身体や個々の包装物に傷をつけないような形とするものである。
【００１３】
そしてＲ切刃の雄刃２Ａｂ，２Ａｂ，２Ｂｂ，２Ｂｂの両端外側に、ガイド部３，３がブロック移動方向と平行且つブロック長手方向全長にわたり突設されている。このガイド部３，３は、図２ｃに示すようにＲ切刃の雄刃２Ａｂ，２Ａｂ；２Ｂｂ，２Ｂｂに続いてほぼ接線方向で外方に拡がって延在する面３Ａａ，３Ａａ；３Ｂａ，３Ｂａが、後述する雌刃ブロック５Ａ，５Ｂとの案内面となる。ガイド部３，３は、直線刃の雄刃２Ａａ，２Ｂａと平行に位置する面３Ａｂ，３Ａｂ；３Ｂｂ，３Ｂｂとこの面と直角且つ平行な両側端面３Ｃ，３Ｃ並びに上記案内面とで囲まれた柱状体であって図２ａに示すようにブロックの移動方向にブロックの長さいっぱいに延在している。
【００１４】
さらにガイド３，３は雄刃より突出した部分の対向内側面３Ｄ，３Ｄは外開きのテーパに形成され、内側間隔は先端側より切刃側の根本部分に向かって徐々に狭まり、根本部分においてほぼ一定幅Ｓの平行面３Ｅ，３Ｅに形成されている。この一定幅Ｓはピロー包装品の中心線が殆ど偏位することなく且つその融着幅が楽に通過できる間隔である。
ガイド内側をテーパに形成したことにより包装帯を切断するために雄刃ブロック１の前進によって連続した包装品のセンタリングが行われる。
そして雄刃の切刃線での横断面は側面図の図２ｂと同じＩ形をなし、この横断面では両面切刃の中心点に対して左右，上下対称形である。このように形成された雄刃ブッロク１は例えば縦形のピロー包装機の往復作動杆とブロック端面１ｃに穿設されたねじ穴１ｂにおいてボルトにより締着される。
【００１５】
一方直方体の雌刃ブロックは図２ｃに示すＩ形断面の雄刃ブロック１が滑動できる貫通嵌合穴を有する直方体のブロックを、図１ｂの縦中心線ＣＬ付近で５Ａ，５Ｂに分割したものである。この分割面８Ａ，８Ａ，８Ｂ，８Ｂの角度を中心面である前記縦中心線ＣＬを含む長手方向に平行な面に対して僅か実施例では１°以下１３’１３”傾斜させ長手寸法の中央で雌刃ブロック５Ａ，５Ｂの厚みが等しくなるように分割した。これにより５Ａ，５Ｂを軸方向に相対移動させて雄刃，雌刃の嵌合隙間の調整が可能である。
この切断面を傾斜させたことによる寸法差及び外面の締付ボルト座以外の点では５Ａ，５Ｂは断面Ｅ形で全く同じ形状であるので、その一方５Ａの図３について説明する。
なお５Ｂの図４については５Ａの符号のＡをＢに変更した符号を付して説明を省略する。
【００１６】
分割した雌刃ブロック５Ａは一面が穴輪郭の半分に形成され、その端面が中央の稜線６Ａを堺として山形の傾斜面５Ａａ，５Ａａに形成され、傾斜面と穴となる面の交線に雌刃が形成されている。稜線６Ａより両側に雄刃２Ａａに対応する直線切刃の雌刃６Ａａ，６Ａａ、これに連続して雄刃２Ａｂ，２Ａｂに対応するＲ切刃の雌刃６Ａｂ，６Ａｂが形成されている。端面の傾斜面５Ａａ，５Ａａの傾斜角度は直角端面に対して本実施例では５°である。
【００１７】
この傾斜面上に形成された雌刃６Ａａとこれに続く雌刃６Ａｂによる帯状材の切断動作は、稜線６Ａの位置から両側に向かって進行するため切刃の切れ味が向上される。雌刃ブロック５Ａは雄刃ブロック１のガイド部３に対応してガイド部７，７はＲ切刃の雌刃６Ａｂ，６Ａｂにつづき、雄刃案内面３Ａａ，３Ａａの対応面である案内面７Ａａ，７Ａａ、雄刃ガイド部側面３Ａｂ，３Ａｂの対応面７Ａｂ，７Ａｂ，雄刃のガイド部側端面３Ｃ，３Ｃ対応の半幅面７Ａｃ，７Ａｃが形成されている。
【００１８】
そして雌刃ブロック５Ａ，５Ｂのガイド部７，７は、雄刃ブロック１が待機位置に後退した状態から切断完了した位置に前進した状態までの間常時雄刃ブロック１のガイド部３，３と嵌合状態にあって、該ガイド部３，３を案内するに必要な長さを有している。分割により断面Ｅ形をなす雌刃ブロックの５Ａの雌刃６Ａａ，６Ａａ；６Ａｂ，６Ａｂの台形部６Ａｃは、前端の切刃線からランド部を残して後方へ台形を徐々に低くした傾斜面６Ａｄになっている。このことにより雄刃２Ａａ，２Ｂａの間隔Ｔよりぐっと広く末広がりの空間が形成でき切断した切屑の排出を良くすることができる。５Ａｂはピロー包装機に取り付ける案内、５Ａｃは雌刃ブロック５Ａを５Ｂに固定させるための締付ボルトの座である。
【００１９】
このように雌切刃面，ガイド部対応面で続く輪郭面は分割された二枚を合わせることによって、案内面７Ａａ，７Ａａ，７Ｂａ，７Ｂａと３Ａａ，３Ａａ，３Ｂａ，３Ｂａにおいて雄刃ブロック１を摺動可能に案内するとともに雄刃，雌刃で帯状材を所定形状に切断することができる。
【００２０】
このように構成された打ち抜き切断刃の作用を説明する。
図示しないピロー包装機の所定位置に雌刃ブロック５Ｂを水平に装着し雄刃ブロック１を雌刃ブロック５Ｂに嵌合させた状態で水平な作動杆にボルト穴１ｂ，１ｂにおいてボルトにより締着する。そして雌刃ブロック５Ａを雄刃ブッロク１を嵌合させ、雌刃ブロック５Ａを長手方向にずらせて雄刃ブロック１がガタのないよう滑らかに摺動する隙間調整をして雌刃ブロック５Ａを固定する。
【００２１】
砂糖，胡椒等を封入して帯状となった図５ａに示すピロー包装帯Ｗを待機後退位置にある雄刃ブロック１の両ガイド部３の内側３Ｄ，３Ｄ間を上方より通過させる。ピロー包装帯Ｗの融着部Ｗａの中央が打ち抜き切断刃の切断位置にきたとき送りを止める。包装機の作動杆を作動させ雄刃ブロック１を前進させる。この前進に伴いピロー包装帯Ｗは、一方に偏している場合には、ガイド部３，３の内側テーパ３Ｄ，３Ｄにより中心に寄せられセンタリングされ、根本部分３Ｅ，３Ｅ間で位置決めされた状態で融着部ＷａからＩ形Ｗｂが打ち抜かれ、ピロー包装品Ｗｃが切り出される。
その切断面は雄刃の両端Ｒ切刃の雄刃３Ａｂ，３Ａｂ；３Ｂｂ，３Ｂｂにより角が円弧状をなす。打ち抜かれた切屑Ｗｂは雌刃ブロック５Ａ，５Ｂの傾斜面６Ａｄ，６Ｂｄで形成される空間から順次押し出されるものである。
【００２２】
【発明の効果】
上述のように構成したので本発明は以下の効果を奏する。
請求項１の発明は両面切刃或いはその一方の切刃の形状を直線刃以外に波形，丸山形，折れ線，円弧等の非直線切刃にすることによって美観をもつピロー包装品をうることができる。そして切断部の角を尖らせないことにより人体や他のピロー包装品を傷つけることが防止できる。
またガイド部内側のテーパによってピロー包装品の切断部位を正確に位置合わせすることができ商品価値が向上する。さらにピロー包装品以外の帯状材の切断にも有効である。
【００２３】
請求項２の発明は、ガイド部内側の切刃側根本部分に被切断帯状材の幅の領域を設けたので、テーパ部で帯状材がセンタリングされたあと、この一定間隔部位で切断時の傾斜した切刃による横方向への分力にもとづく偏位があっても中心がずれることが防止されピロー包装品の切断部位を更に正確に位置合わせすることができる。
【００２４】
請求項３の発明は雌刃ブロックを僅かに傾斜させたので、分割ブロックを互いに軸方向に移動させることにより、雄刃と雌刃との嵌合隙間を容易に調整することができ美しい切断面をうることができる。
なお、実施例では縦中心線ＣＬ付近で分割したが、分割面が僅かに傾斜して形成できるのであれば、分割位置は自由である。
【図面の簡単な説明】
【図１】本発明の打ち抜き切断刃を組み合わせた状態を示す図で、ａは正面図、ｂは右側面図である。
【図２】雄刃ブロックを示す図で、ａは正面図、ｂは右側面図、ｃは左側面図である。
【図３】雌刃ブロックの分割した一方のブロックを示す図で、ａは正面図、ｂは右側面図、ｃは平面図である。
【図４】雌刃ブロックの他方のブロックを示す図で、ａは正面図、ｂは右側面図、ｃは平面図である。
【図５】ピロー包装帯を示す図で、ａは連続状態の平面図、ｂは切断した単体の平面図である。
【図６】従来のピロー包装帯を示す図で、ａは切断線を記入した平面図、ｂは正面図、ｃは切断した単体の平面図である。
【符号の説明】
１  雄刃ブロック
２Ａａ，２Ｂａ  直線切刃の雄刃
２Ａｂ，２Ｂｂ  Ｒ切刃の雄刃
３Ａａ，３Ｂａ  案内面
３  ガイド部
６Ａ  稜線
６Ａａ，６Ｂａ  直線切刃の雌刃
６Ａｂ，６Ｂｂ  Ｒ切刃の雌刃
７Ａａ，７Ｂａ  案内面
６Ａｃ  切刃ランド部
６Ａｄ，６Ｂｄ  傾斜面
７  案内穴
【図１】
0004025068.tif 000002
【図２】
0004025068.tif 000003
【図３】
0004025068.tif 000004
【図４】
0004025068.tif 000005
【図５】
0004025068.tif 000006
【図６】
0004025068.tif 000007